(57)【要約】【課題】  簡単な構成によってローラーの交換作業を容易にする。【解決手段】  ローラーＲ１に当接する保持体１と、保持体１と共にローラーＲ１を保持する吊り用線状体２とからなり、保持体１はその両端にローラーＲ１の側端面に掛け止め可能である掛け止め部１ａ，１ｂを折り曲げてあり、上面に止め部３を取り付けてあり、吊り用線状体２は一端側で環状に曲げると共にローラーＲ１の胴部Ｒ１ａに掛け回してこの胴部を抱持する抱持部２ａとし、他端側では止め部３を通しかつこの止め部に引っ掛けた状態で揚重機８に伸ばしてフック８ａに掛け止める。【選択図】        図１
2011026078.tif 000002
【特許請求の範囲】
【請求項１】
ローラーに当接する保持体と、この保持体と共に上記ローラーを保持する吊り用線状体とからなり、
上記保持体は、その両端にローラーの側端面に掛け止め可能である掛け止め部を設けてある
ことを特徴とするローラー用吊り具。
【請求項２】
保持体は止め部を設けてあり、吊り用線状体は上記止め部を介して一端部側が上記ローラーの胴部を掛け回している抱持部を形成しており、この抱持部によって上記ローラーを抱持固定し、上記抱持部に連なる他端部側が上記止め部を通じて延伸されて上記ローラーを吊り上げるための揚重機に接続可能であることを特徴とする請求項１記載のローラー用吊り具。
【請求項３】
ローラーに当接する保持体と、この保持体と共に上記ローラーを保持する吊り用線状体とからなり、
上記保持体は、その本体がローラーの載置台を形成している
ことを特徴とするローラー用吊り具。
【請求項４】
保持体は、両側の側フレームと、両側フレーム間に渡してあってローラーを支持可能である第１及び第２の支持フレームと、上記各側フレームに設けてある接続部とを備えており、上記第１の支持フレームは上記ローラーの側端面を支持するものであり、上記第２の支持フレームは上記ローラーの胴部を支持するものであり、上記各接続部は吊り用線状体の一端部を接続していることを特徴とする請求項３記載のローラー用吊り具。
【請求項５】
保持体は、両側の側フレームと、両側フレーム間に渡してあってローラーを支持可能である第１及び第２の支持フレームと、上記各側フレームに設けてある接続部とを備えており、上記第１の支持フレームは上記ローラーの側端面を支持するものであり、上記第２の支持フレームは上記ローラーの胴部の下側を支持するものであり、上記各接続部は上記各側フレームから起立されている支柱で構成されており、各支柱の上端部に吊り用線状体の一端部を接続していることを特徴とする請求項３記載のローラー用吊り具。
【発明の詳細な説明】
【技術分野】
【０００１】
この発明は、圧延材を案内するローラー用吊り具に関するものである。
【背景技術】
【０００２】
ローラーガイドに使用しているローラー（ロール）を交換する作業を人手に頼ることは作業の向上を図る点などに関して課題があり、この課題を解決するための従来技術として特開２００４−２６３８６号公報に記載のロール交換用吊具が提案されている。
当該ロール交換用吊具は、公報の図１及び図２に示すようにロールを下端で装着するロール吊下腕及びロール中心線を含む鉛直面内にロール中心と平行に配設した水平腕を取り付けた吊下フレームと、上記水平腕を支持する平衡フレームと、この平衡フレームを上記ロールの質量に応じたばね定数を備えたコイルばねを介して吊下げするクレーンの吊りフレームと、ロール重心とクレーン吊り中心の鉛直線が一致するよう上記平衡フレームを水平腕に対して位置調整する調整装置を備えている。
その使用方法は、ロールの自重に合わせて選定したコイルばねを平衡フレームに取付け、ロール吊下腕の下端をロールに装着する。クレーン吊フレームをクレーンフックを介してクレーンに取り付けてから吊り上げ、次いで平衡フレームを水平腕に対する位置調整のための調整装置を操作して上記ロールの重心位置とクレーン吊中心が一致するように調整する。その後、クレーンフックを引き上げる。上記ロールはコイルばねとバランスした状態で吊り上げられて中立状態となるので、手動又はその他の手段を用いてロールをロール軸から抜き取る。
【先行技術文献】
【特許文献】
【０００３】
【特許文献１】特開２００４−２６３８６号公報
【発明の概要】
【発明が解決しようとする課題】
【０００４】
従来技術によると、ロール交換を直接人手によることなく、ロールを水平に保持してロール交換をすることができる。
しかしながら、当該従来技術ではロールを水平に保つための重心位置の調整装置はハンドルやボルトなどを使用しており、全体として構造が複雑になる他に、装置が大型になり、調整に手間がかかることが推測される。
また、公報の図２に示すように、ロール端面からロール交換用吊具の本体が大きく突出して（張り出して）いるため、上記ロールを固定するローラーガイド本体への組み込み・取出し（着脱）作業が容易でないものと推測される。
この発明の目的は、簡単な構成によってローラーの交換作業を容易にすることにある。
【課題を解決するための手段】
【０００５】
本発明に係るローラー用吊り具は、ローラーに当接する保持体と、この保持体と共に上記ローラーを保持する吊り用線状体とからなり、上記保持体はその両端にローラーの側端面に掛け止め可能である掛け止め部を設けている。
上記ローラーを確実に平行に保って吊ることが出来るように、上記保持体に止め部を設けるのが良い。上記吊り用線状体は上記止め部を介して一端部側が上記ローラーの胴部を掛け回している抱持部を形成しており、この抱持部によって上記ローラーを抱持固定し、上記抱持部に連なる他端部側が上記止め部を通じて延伸されて上記ローラーを吊り上げるための揚重機に接続可能である。
【０００６】
本発明に係るローラー用吊り具は、ローラーに当接する保持体と、この保持体と共に上記ローラーを保持する吊り用線状体とからなり、上記保持体はその本体がローラーの載置台を形成している。
上記保持体は、複数のフレームなどを組み合わせたものであっても良い。上記保持体の両側に側フレームを、両側フレーム間に渡してあってローラーを支持可能である第１及び第２の支持フレーム、上記両フレームに接続部をそれぞれ備えている。上記第１の支持フレームは上記ローラーの側端面を支持するものであり、上記第２の支持フレームは上記ローラーの胴部を支持するものであり、上記接続部は吊り用線状体の一端部と接続するものである。
また、保持体として、両側の側フレームと、両側フレーム間に渡してあってローラーを支持可能である第１及び第２の支持フレームと、上記各接続部が上記各側フレームから起立されている支柱で構成されており、上記第１の支持フレームは上記ローラーの側端面を支持するものであり、上記第２の支持フレームは上記ローラーの胴部を支持するものであり、上記各支柱の上端部に吊り用線状体の一端部を接続しているものである。
【発明の効果】
【０００７】
本発明のローラー用吊り具によれば、保持体と吊り用線状体とによってローラーを吊ることができるから、ローラーの交換作業が容易になり、交換作業の迅速化を図ることができ、構成が簡単であるため安価で、重心の調整が不要なため作業が簡素になる。
本発明のローラー用吊り具によれば、保持体がローラーの載置台として機能するので、保管場所において吊り具毎の保管が可能になり保管がし易くなると共に、保管場所からローラーの設置位置までの移動過程で吊り用線状体を付け替える必要がなく、上記交換作業の容易性に寄与する。
【図面の簡単な説明】
【０００８】
【図１】この発明に係るローラー用吊り具の取り付けの一過程を示す一部切欠正面図である。
【図２】この発明に係るローラー用吊り具の取り付けの一過程であって、最終の前段階を示す正面図である。
【図３】この発明に係るローラー用吊り具の使用状態を示す平面図である。
【図４】この発明に係るローラー用吊り具の他の実施の形態の使用状態を示す正面図である。
【図５】この発明に係るローラー用吊り具の他の実施の形態を示す背面図である。
【図６】図４における保持体を示す平面図である。
【図７】この発明に係るローラー用吊り具の他の実施の形態における保管状態を示す正面図である。
【発明を実施するための形態】
【０００９】
本発明に係るローラー用吊り具の実施形態について、図１〜図３を参照して説明する。
図１及び図２に示すローラー用吊り具Ｔ１は、ローラーホルダー６，７間に配置されているローラーＲ１，Ｒ２をそれぞれ組み込むための、又は取り出すための吊り手段である。ローラーＲ１，Ｒ２は、ローラーピンＳ１，Ｓ２を回転中心としてローラーホルダー６，７に取り付けられている。ローラーピンＳ１，Ｓ２の一端には歯車Ｇ１，Ｇ２を設けてある。
さて、ローラー用吊り具Ｔ１は、ローラーＲ１に当接する保持体１と、この保持体と共に上記ローラーを保持する吊り用線状体２とからなる。ローラー用吊り具Ｔ１は、保持体１と吊り用線状体２とを用いてローラーＲ１を水平に保ったまま吊り上げることができるものである。
【００１０】
保持体１は、図１及び図３に示すようにその本体が四角形の長板状に形成されている重心位置プレートである。保持体１は、ほぼ中央部がローラーＲ１の胴部Ｒ１ａの外周面に接触できるようにＶ字形屈曲されている。また、保持体１の両端には、ローラーＲ１の側端面を掛け止め可能である掛け止め部１ａ，１ｂを設けてある。
一方（図１左方）の掛け止め部１ａは下方に折り曲げられており、ローラーＲ１の前端面（図左端面）縁部に掛け止められている。他方（図１右方）の掛け止め部１ｂは下方に折り曲げられており、ローラーＲ１の後端面（図右端面）縁部に掛け止められている。
保持体１は、ローラーＲ１の前端面側の上面の保持体の重心位置にリング状の止め部３を取り付けてある。止め部３内には吊り用線状体２を通してある。
保持体１の長さは、ローラーホルダー６，７間の内面幅より短く設定されている。このため、保持体１はローラーＲ１に掛け止められた状態で、ローラーと共にローラーホルダー６，７間に対する組み込み、取り出しが可能となる。
【００１１】
吊り用線状体２は例えばワイヤロープからなり、図１及び図３に示すようにローラーＲ１の胴部Ｒ１ａを掛け回し可能である抱持部２ａを形成している。吊り用線状体２は、両端部に掛け止めリング４，５を設けてある。
【００１２】
保持体１と吊り用線状体２とによるローラーＲ１の保持について説明する。
吊り用線状体２は、図１に示すように、一方の掛け止めリング４側の部分がローラーＲ１の胴部Ｒ１ａに掛け回されている抱持部２ａとなっており、この抱持部が上記胴部を抱持しており、他方の掛け止めリング５側の部分が保持体１の止め部３内を通して図真上に延ばされ、掛け止めリング５がクレーンなどの揚重機８のフック８ａに掛け止められる。
【００１３】
本発明に係るローラー用吊り具Ｔ１の使用方法について説明する。
図１において、ローラーホルダー６，７間の下側のローラーＲ２が配置され、上側のローラーＲ１はローラー用吊り具Ｔ１によって両ローラーホルダー外の上方に吊り上げられている。
そこで、ローラーＲ１の交換作業について説明をする。
交換対象であるローラーＲ１を平行に吊るために、図１及び図３に示すように、保持体１をローラーの上側に載せて掛け止め部１ａ，１ｂをローラーの左右両端面に掛け止め、そして吊り用線状体２を一端側で環状に曲げて抱持部２ａを形成すると共にローラーＲ１の胴部Ｒ１ａに掛け回してこの抱持部で胴部を抱持し、抱持部を絞った状態で、図３鎖線に示すように保持体上の図左側で一方の掛け止めリング４に通して平面Ｙ字形してから、他方の掛け止めリング５側部分を止め部３内に通し、かつ止め部３に引っ掛けた状態で揚重機８に伸ばして掛け止めリング５を揚重機８のフック８ａに掛け止める。その後、揚重機８によってローラーＲ１を吊り上げる。
ローラーＲ１は水平に吊り上げられるので、この状態で、揚重機８によって図１に示す位置から下方に徐々にローラーホルダー６，７間内に降下させ、図２に示す位置で降下を停止し、ローラーピンＳ１を矢印方向に移動させて、ローラーの軸心部に挿入するなどしてローラーホルダーへのローラーの組み込み作業を終える。
ローラーＲ１を図２の位置から取り出す場合には、吊り用線状体２の掛け止めリング５を揚重機８のフック８ａに掛け止めてから、揚重機によってローラーＲ１を吊り上げれば良い。
ローラーＲ２の交換作業についてもローラーＲ１のそれと同様であるので、詳細な説明を省略する。
図１において、Ｒ２ａはローラーＲ２の胴部である。
【００１４】
図１〜図３に示すローラー用吊り具Ｔ１によれば、ローラーホルダー６，７に対するローラーＲ１，Ｒ２の組み込み前後のローラーの移動から着脱まで、保持体１や吊り用線状体２を組み替える必要がなく作業ができ、そして構造が簡単であって重心の調整が不要となり、製造コストを抑制することができる。また、ローラー用吊り具Ｔ１では、保持体１にその重心の垂直方向に吊り用線状体２を引っ掛ける止め部３を取り付けているので、ローラーＲ１，Ｒ２を水平に保ったまま吊ることができる。さらに、保持体１はローラーＲ１，Ｒ２の側端面に掛け止めるものであって、その長さがローラーホルダー６，７の内面幅より短く設定されているから、ローラーＲ１，Ｒ２の側端面からローラー用吊り具Ｔ１の本体が突出する部分（張り出し部分）を微小にして、ローラーホルダーとの干渉をなくしているので、従来技術と比較してローラーＲ１，Ｒ２の交換作業のためのローラーガイド本体への組み込みが容易となり、交換作業がし易い。
【００１５】
本発明に係るローラー用吊り具の他の実施形態について、図４〜図７を参照して説明する。
図４及び図５に示すローラー用吊り具Ｔ２は、ローラーＲ１１に当接する保持体１１と、この保持体と共に上記ローラーを保持する吊り用線状体１２とからなる。ローラー用吊り具Ｔ２は、保持体１１と吊り用線状体１２と用いてローラーＲ１１を水平に保ちつつ吊ることができるものである。
【００１６】
図４〜図６に示す保持体１１はローラーＲ１１の載置台（受け台）を形成している。すなわち、保持体１１は、両側の側フレーム１１ａ、両側フレーム間に渡してあってローラーＲ１１を支持可能である第１及び第２の支持フレーム１１ｂ，１１ｃ並びに接続部である支柱１１ｄを備えている。
側フレーム１１ａは図６に示すように両側に互いに平行に配置され、その間隔はローラーＲ１１の胴部Ｒ１１ａより幾分広く設定されおり、図左側端部上でローラーの一側を保持可能である。
第１の支持フレーム１１ｂはローラーＲ１１の図４左側端面が当接可能である板体からなり、上記ローラーが保持体１１から図左側へ離脱することを防止するストッパーの役割をも負っている。第２の支持フレーム１１ｃはローラーＲ１１の胴部Ｒ１１ａを下側から支える支持手段であって、棒状に形成されている。
このように、両側の側フレーム１１ａと第１及び第２の支持フレーム１１ｂ，１１ｃとがローラーＲ１１を水平に載置保持する保持体１１である載置台の本体を形成している。
各支柱１１ｄは第２の支持フレーム１１ｃ上に起立されており、支柱上端に止めリング１３を取り付けてある。
保持体１１の長さは、図４に示すようにローラーホルダー１６，１７の内面幅より短く設定されている。このため、保持体１１はローラーＲ１１と共に、ローラーホルダー１６，１７間に対する組み込み、取り出しが容易となる。
【００１７】
吊り用線状体１２は図４及び図５に示すように、一端（図下端）にフック１４を、他端に掛け止めリング１５をそれぞれ取り付けている。吊り用線状体１２は、その一端側のフック１４を各支柱１１ｄの止めリング１３に掛け止めることにより保持体１１に接続されている。また吊り用線状体１２は、他端側の掛け止めリング１５を揚重機８のフック８ａ（図７）に掛け止め可能である。
【００１８】
保持体１１と吊り用線状体１２とによるローラーＲ１１の保持について説明する。
吊り用線状体１２は、図４に示すように、主に第１及び第２の支持フレーム１１ｂ，１１ｃによってローラーＲ１１の胴部Ｒ１１ａを保持し、このローラーの水平保持を可能にするために支柱１１ｄの位置が設定されている。対の吊り用線状体１２は、一端（下端）のフック１４を各支柱１１ｄの止めリング１３に掛け止め、他端の掛け止めリング１５を揚重機８のフック８ａ（図７）に掛け止めることによって、図５に示すように「ハ」の字形に張られ、保持体１１が水平の状態でローラーＲ１１を載置保持する。
図４において、ローラーピンＳ１２の一端には歯車Ｇ１２を設けてある。
【００１９】
本発明に係るローラー用吊り具Ｔ２の使用方法について説明する。
図４において、ローラーホルダー１６，１７間の下側のローラーＲ１２が配置され、上側のローラーＲ１１はローラー用吊り具Ｔ２によって両ローラーホルダー外の上方に吊り上げられている。
そこで、ローラーＲ１１の交換作業について説明をする。
図７に示すように、予め、予備用の複数のローラーＲ１１を保持体１１に載せた状態で保管場所に設置している保管台Ｄ上に保管しておく。
ローラーＲ１１の交換の必要が生じた場合には、保持体１１によって保管台Ｄ上に保管されている複数のローラーＲ１１のうち、例えば図７左端に位置しているローラーＲ１１を吊り上げる。この際、交換対象のローラーＲ１１を載せている保持体１１の支柱１１ｄに吊り用線状体１２を接続してから、吊り用線状体の掛け止めリング１５に揚重機８のフック８ａを掛け止めて揚重機により保持体を吊り上げる。そのまま、揚重機８を操作して、ローラーＲ１１を載せている保持体１１を図４に示すようにローラーホルダー１６，１７間の真上に移動させる。その後、ローラーＲ１１を吊り上げた状態で、揚重機８によって図４に示す位置から下方に徐々にローラーホルダー１６，１７間内に降下させ、所定位置で停止し、図示していないローラーピンをローラーの軸心部に挿入するなどしてローラーホルダーへのローラーの組み込み作業を終える。
ローラーＲ１２の交換作業についてもローラーＲ１１のそれと同様であるので、詳細な説明を省略する。
図４において、Ｒ１２ａはローラーＲ１２の胴部である。
【００２０】
ローラー用吊り具Ｔ２によれば、ローラーＲ１１の保管時に保持体１１をこのローラーの受け台として使用することができるから、ローラー保管場所からローラーホルダー１６，１７間の所定の設置位置までの移動の過程では、吊り用線状体１２の掛け換え無しで組み込み作業が可能になる。保持体１１はローラーＲ１１の保管台として利用することができるから、特別に保管手段を設ける必要がない。
また、ローラー用吊り具Ｔ２は、ローラー用吊り具Ｔ１と同様に下記の効果を有している。すなわち、ローラーホルダー１６，１７に対するローラーＲ１１，Ｒ１２の組み込み前後のローラーの移動から着脱まで、保持体１１や吊り用線状体１２を組み替える必要がなく作業ができ、そして構造が簡単であって重心の調整が不要となり、製造コストを抑制することができる。また、ローラー用吊り具Ｔ２では、保持体１１はローラーＲ１１，Ｒ１２を水平に保持できる受け台として機能するので、上記ローラーＲ１１，Ｒ１２を水平に保ったまま吊ることができる。さらに、保持体１１は、その長さがローラーホルダー１６，１７の内面幅より短く設定されているから、ローラーＲ１１，Ｒ１２の側端面からローラー用吊り具Ｔ２の本体が突出する部分（張り出し部分）を微小にして、ローラーホルダーとの干渉をなくしているので、従来技術と比較してローラーＲ１１，Ｒ１２の交換作業のためのローラーガイド本体への組み込みが容易となり、交換作業がし易い。
【００２１】
図４に示す保持体１１は、接続部である支柱１１ｄを介して吊り用線状体１２に接続されているが、接続部は柱状の支柱に限られず、山形状又は逆溝状のフレームであっても良い。
吊り用線状体１２の材質はワイヤロープに限定されない。
【符号の説明】
【００２２】
Ｔ１，Ｔ２                            ローラー用吊り具
Ｒ１，Ｒ２，Ｒ１１，Ｒ１２            ローラー
Ｒ１ａ，Ｒ２ａ，Ｒ１１ａ，Ｒ１２ａ    胴部
１，１１                              保持体
１ａ，１ｂ                            掛け止め部
１１ａ                                側フレーム
１１ｂ                                第１の支持フレーム
１１ｃ                                第２の支持フレーム
１１ｄ                                支柱（接続部）
１４                                  フック
１５                                  掛け止めリング
２，１２                              吊り用線状体
２ａ                                  抱持部
３                                    止め部
４，５                                掛け止めリング
６，７，１６，１７                    ローラーホルダー
８                                    揚重機
【図１】
2011026078.tif 000003
【図２】
2011026078.tif 000004
【図３】
2011026078.tif 000005
【図４】
2011026078.tif 000006
【図５】
2011026078.tif 000007
【図６】
2011026078.tif 000008
【図７】
2011026078.tif 000009